【手続補正書】
【提出日】令和3年8月3日(2021.8.3)
【手続補正１】
【補正対象書類名】明細書
【補正対象項目名】全文
【補正方法】変更
【補正の内容】
【発明の詳細な説明】
【発明の名称】皮膚管理器具
【技術分野】
【０００１】
本発明は、皮膚管理器具に関する。
【背景技術】
【０００２】
現代人は肌を滑らかにするために、ローションやクリームなどのように比較的粘性の高い皮膚管理物質及び／又はオイルや牛乳、食酢希釈液、緑茶水、レモン水、ワイン、米のとぎ汁などのように比較的粘性の低い皮膚管理物質を肌に塗布してマッサージする。ところが、身体の構造上、自身の手の平は自身の背中に届き難く、一人では背中の部分に皮膚管理物質の塗布がし難い問題がある。
【０００３】
具体的には、比較的粘性の高いローションやクリームのような皮膚管理物質は、長い棒の表面に付けて自身の背中に擦り込むことができるが、比較的低粘性のオイルや牛乳、食酢希釈液、緑茶水、レモン水、ワイン、米のとぎ汁などのように比較的粘性の低い皮膚管理物質は流れる性質があり、自分で自身の背中に塗布してマッサージすることはさらに難しい。
【０００４】
一方、一人暮らしが増えており、且つ美肌への関心が高まるに伴って、背中部分を一人で管理できるように手伝う様々な製品、例えば、ボディブラシとローションアプリケーターなどが別個として販売されている。しかし、背中部分を様々な方式で管理するためにはそれぞれの製品を個別に購買し保管しなければならないという問題がある。
【発明の概要】
【発明が解決しようとする課題】
【０００５】
本発明の目的は、ローションやクリームなどのように比較的粘性の高い皮膚管理物質の他に、オイルや牛乳、食酢希釈液、緑茶水、レモン水、ワイン、米のとぎ汁などのように比較的粘性の低い皮膚管理物質も、自身の背中に比較的簡単な構成で便利に塗布可能にする皮膚管理器具を提供することである。
【０００６】
本発明の他の目的は、比較的簡単な構成で背中部分を様々な方式で管理可能にする皮膚管理器具を提供することである。
【課題を解決するための手段】
【０００７】
上記の目的を達成するための本発明に係る皮膚管理器具は、長さ方向に沿って延長されたハンドルと、底部及び該底部から高さ方向に沿って延長されたメイン側壁部により収容空間を形成する収容部、該収容部を中心に放射状に延長された拡張部、及び該拡張部の外周において前記メイン側壁部の前記高さ方向に沿って延長された結合案内部を有し、前記ハンドルの端部に配置されるヘッド部と、皮膚と接触する接触表面部、該接触表面部の背面から突出して前記メイン側壁部と接触する外部漏れ防止部、前記収容部が形成する前記収容空間が外部と連通するように前記接触表面部に配置される少なくとも一つの貫通孔、及び前記接触表面部の外周に配置されて前記結合案内部と結合する結合部を有し、前記ヘッド部に脱着可能に結合するマッサージ部材とを含む。
【０００８】
ここで、前記収容部は、前記収容空間を外側収容空間と内側収容空間とに分割するように、前記メイン側壁部の半径方向内側において前記底部から前記高さ方向に沿って延長された内部側壁部を有し、前記マッサージ部材は、前記外部漏れ防止部の半径方向内側の前記接触表面部の背面から突出して前記内部側壁部と接触する内部漏れ防止部と、前記外側収容空間及び前記内側収容空間のそれぞれを外部と連通させる複数の貫通孔とを有する。
【０００９】
これによって、使用者が本皮膚管理器具を使用するとき、比較的少ない量を使用したい場合は、前記内側収容空間に皮膚管理物質を満たして使用し、比較的多い量を使用したい場合は、前記外側収容空間及び前記内側収容空間の両方に皮膚管理物質を満たして使用することができる。
【００１０】
また、前記外部漏れ防止部は、前記メイン側壁部の内径面に対応する外径を有し、前記メイン側壁部の内径面と接触し、前記内部漏れ防止部は、前記内部側壁部の外径面に対応する内径を有し、前記内部側壁部の外径面と接触し、前記マッサージ部材は、前記メイン側壁部と前記内部側壁部との間に挿入され、前記メイン側壁部と前記内部側壁部との間の前記収容空間が円周方向に沿って複数個に分割されるように前記接触表面部の背面から突出延長される隔壁と、前記隔壁によって分割される前記収容空間のそれぞれが外部と連通可能に前記接触表面部に分散配置される複数の貫通孔とを有する。
【００１１】
本発明は、比較的コンパクトな構造で前記内側収容空間及び前記外側収容空間に収容された皮膚管理物質が他の空間に漏れることを防止しながら前記収容空間を分割することができる。
【００１２】
そして、前記隔壁は、前記マッサージ部材が前記ヘッド部に装着されたとき、前記隔壁の端部が前記収容部の前記底部と接触する。これによって、前記隔壁によって分割された前記収容空間に収容された皮膚管理物質が任意に他の前記分割された収容空間に移動することを防止できる。
【００１３】
一方、前記貫通孔は、前記接触表面部から前記接触表面部の背面側に向かうにつれて拡径する拡張区間を有することが、前記収容部に収容された液状の皮膚管理物質を重力によって外部に排出させる上で有利である。
【００１４】
上記の本発明の他の目的は、ヘッド部に、多数の繊維を有するブラシ部材を装着するか、別の種類の部材を装着することによって達成できる。
【発明の効果】
【００１５】
本発明に係る皮膚管理器具は、ローションやクリームなどのように比較的粘性の高い皮膚管理物質の他に、オイルや牛乳、食酢希釈液、緑茶水、レモン水、ワイン、米のとぎ汁などのように比較的粘性の低い皮膚管理物質も、自身の背中を含めて身体に比較的簡単な構成で便利に塗布できる。
【００１６】
ローションやクリームなどのように比較的粘性の高い皮膚管理物質は、マッサージ部材の表面に付けて使用し、オイルや牛乳、食酢希釈液、緑茶水、レモン水、ワイン、米のとぎ汁などのように比較的粘性の低い皮膚管理物質は、収容部に満たして使用する。
【００１７】
本発明に係る皮膚管理器具は、ヘッド部に多数の繊維が植えられたブラシ部材などの別の種類の部材を装着することによって背中部分を多様に管理可能にする。
【図面の簡単な説明】
【００１８】
【図１】本発明に係る皮膚管理器具の斜視図である。
【図２】マッサージ部材側の正面図である。
【図３】マッサージ部材がヘッド部から切り離された様子を示すヘッド部側の拡大斜視図である。
【図４】マッサージ部材の背面側の斜視図である。
【図５】マッサージ部材の背面図である。
【図６】図２に示したVI−VI線に沿う断面図である。
【図７】図２に示したVII−VII線に沿う断面図である。
【図８】貫通孔を説明するための説明図である。
【図９】ヘッド部にブラシ部材が装着された皮膚管理器具の斜視図である。
【図１０】ブラシ部材がヘッド部から切り離された様子を示すヘッド部側の拡大斜視図である。
【図１１】ブラシ部材が装着されたヘッド部の断面図である。
【発明を実施するための形態】
【００１９】
図１は、本発明に係る皮膚管理器具の斜視図であり、図２は、マッサージ部材５００側の正面図である。これらの図に見られるように、本皮膚管理器具は、長さ方向に沿って延長されたハンドル１００、ハンドル１００の端部に配置される円形のヘッド部３００、及びヘッド部３００に脱着可能に結合するマッサージ部材５００を含む。マッサージ部材５００は、皮膚に接触するように広く拡張された接触表面部５１０を有する。接触表面部５１０は、皮膚管理物質が排出される複数の貫通孔５１１を有する。複数の貫通孔５１１は接触表面部５１０に分散配置される。接触表面部５１０は単一の貫通孔５１１を有してもよい。
【００２０】
図３は、マッサージ部材５００がヘッド部３００から切り離された様子を示すヘッド部３００側の拡大斜視図である。図３に見られるように、ヘッド部３００は、液状の皮膚管理物質を収容できる筒形の収容部３１０を含む。収容部３１０は、底部３１１と、底部３１１から高さ方向に沿って延長された断面円形のメイン側壁部３１３を有する。そして、収容部３１０は、メイン側壁部３１３の半径方向内側において底部３１１から高さ方向に沿って延長された断面円形の内部側壁部３１５も有する。メイン側壁部３１３と内部側壁部３１５は、端部と端部が会う円環形となる。このため、内部側壁部３１５の内側には内側収容空間が形成され、メイン側壁部３１３と内部側壁部３１５との間には外側収容空間が形成される。収容部３１０は、内部側壁部３１５を省き、底部３１１とメイン側壁部３１３だけで構成されてもよい。メイン側壁部３１３と内部側壁部３１５は多角形又は楕円形などのように様々な形状に変形可能である。収容部３１０は、ヘッド部３００と異なる材質で作られ、ヘッド部３００に脱着可能に結合してもよい。
【００２１】
ヘッド部３００は、収容部３１０を中心に放射状に延長された拡張部３３０を含む。拡張部３３０は、マッサージ部材５００の表面積を広くする。ヘッド部３００は、拡張部３３０の外周からメイン側壁部３１３の高さ方向に沿って延長された結合案内部３５０を有する。ヘッド部３００は、拡張部３３０を省き、収容部３１０だけで構成されてもよい。結合案内部３５０、メイン側壁部３１３、及び内部側壁部３１５はいずれも高さ方向に沿って延長され、互いに平行に延長されることが好ましい。
【００２２】
マッサージ部材５００は、ヘッド部３００に脱着可能に結合する。マッサージ部材５００は、皮膚に接触する接触表面部５１０と、接触表面部５１０の外周から高さ方向に沿って延長された結合部５９０を有する。接触表面部５１０の厚さは２ｍｍ以下が好ましい。マッサージ部材５００は、ヘッド部３００に装着されたとき、収容部３１０のメイン側壁部３１３と内部側壁部３１５が形成する内側収容空間と外側収容空間に対応する領域に配置され、内側収容空間と外側収容空間をそれぞれ外部と連通させる複数の貫通孔５１１を有する。マッサージ部材５００は、結合部５９０が結合案内部３５０と結合することでヘッド部３００に装着される。結合部５９０と結合案内部３５０は嵌合や螺合などの様々な方式で結合可能である。結合部５９０は結合案内部３５０の内側に挿入されてもよい。結合部５９０には位置案内突起５０１が表示されている。位置案内突起５０１は、マッサージ部材５００及び貫通孔５１１の構成とヘッド部３００との位置関係を説明するために説明用に図面上に表示したものである。
【００２３】
図４は、マッサージ部材５００の背面５２０側の斜視図であり、図５は、マッサージ部材５００の背面図である。これらの図に見られるように、マッサージ部材５００は、接触表面部５１０の背面５２０から突出してメイン側壁部３１３と接触する外部漏れ防止部５５０と、外部漏れ防止部５５０の半径方向内側の接触表面部５１０の背面５２０から突出して内部側壁部３１５と接触する内部漏れ防止部５７０を含む。外部漏れ防止部５５０は、メイン側壁部３１３の内径面と接触するようにメイン側壁部３１３の内径に対応する外径を有し、内部漏れ防止部５７０は、内部側壁部３１５の外径面と接触するように内部側壁部３１５の外径に対応する内径を有する。外部漏れ防止部５５０はメイン側壁部３１３の周りに沿ってメイン側壁部３１３と接触し、内部漏れ防止部５７０は内部側壁部３１５の周りに沿って内部側壁部３１５と接触する。
【００２４】
マッサージ部材５００は、ヘッド部３００に装着されたとき、メイン側壁部３１３と内部側壁部３１５との間に挿入されてメイン側壁部３１３と内部側壁部３１５との間の収容空間が円周方向に沿って複数個に分割されるように接触表面部５１０の背面５２０から突出延長される複数の隔壁５３０を有する。この複数の隔壁５３０は板状であり、内部漏れ防止部５７０と外部漏れ防止部５５０との間を横切りながら両者を連結する。複数の隔壁５３０は、マッサージ部材５００の中心を基準に９０°の間隔を空けて配置されることが好ましい。貫通孔５１１は、隔壁５３０によって分割される収容部３１０の収容空間がそれぞれ外部と連通できるように均一に分散配置される。
【００２５】
外部漏れ防止部５５０はメイン側壁部３１３の上端面又は外径面と接触してもよく、内部漏れ防止部５７０は内部側壁部３１５の上端面又は内径面と接触してもよい。隔壁５３０は、外部漏れ防止部５５０と内部漏れ防止部５７０とを連結することなく、メイン側壁部３１３と内部側壁部３１５との間に挿入されてもよい。マッサージ部材５００は、接触表面部５１０の背面５２０がメイン側壁部３１３と内部側壁部３１５の上端部に当接するようにし、外部漏れ防止部５５０及び内部漏れ防止部５７０を省いてもよい。
【００２６】
図６は、図２に示したVI−VI線に沿う断面図である。図６に見られるように、接触表面部５１０はアーチ状であり、ヘッド部３００を基準に上方に膨らんだ形状を有する。そして、貫通孔５１１は収容部３１０の内側収容空間及び外側収容空間がそれぞれ外部と通じるように分散配置される。内部漏れ防止部５７０及び外部漏れ防止部５５０は、接触表面部５１０の背面５２０から突出延長されて端部が底部３１１に接触する。内部漏れ防止部５７０及び外部漏れ防止部５５０はメイン側壁部３１３及び内部側壁部３１５よりも高さが高い。このため、収容部３１０の収容空間に収容された液状の皮膚管理物質は任意に他の空間に漏れず、貫通孔５１１を通してのみ外部に排出される。内部漏れ防止部５７０及び外部漏れ防止部５５０の端部は底部３１１に接触しなくてもよい。
【００２７】
メイン側壁部３１３と内部側壁部３１５は同じ高さを有することが、別の種類のマッサージ部材５００、例えばブラシ部材７００（図９参照）をヘッド部３００に装着する上で有利である。にもかかわらず、メイン側壁部３１３及び内部側壁部３１５の上端部は接触表面部５１０の背面５２０に接触するように高さをさらに延長してもよい。ヘッド部３００の底部３１１も接触表面部５１０と同様にアーチ状にしてもよい。この場合、底部３１１は下方に膨らんだ形態を有することが好ましい。
【００２８】
図７は、図２に示したVII−VII線に沿う断面図である。図７に見られるように、隔壁５３０は、接触表面部５１０の背面５２０から突出延長されてメイン側壁部３１３と内部側壁部３１５との間の収容空間に挿入される。これらの隔壁５３０はメイン側壁部３１３と内部側壁部３１５との間の収容空間を複数個の収容空間に分割する。すなわち、メイン側壁部３１３と内部側壁部３１５との間に形成されるリング状の収容空間を円周方向に沿って複数個に分割する。このとき、隔壁５３０の端部は底部３１１に接触する。これによって、メイン側壁部３１３と内部側壁部３１５との間の収容空間に収容された液状の皮膚管理物質は、隔壁５３０によって分割された収容空間に閉じ込められて他の収容空間に任意に移動できず、接触表面部５１０に形成された貫通孔５１１を通してのみ外部に排出可能である。これによって、使用者が本皮膚管理器具を使用するとき、皮膚管理物質が重力によって下方に集中して特定の貫通孔５１１を通してのみ排出されることを防止し、比較的広い領域において均一に排出させることができる。勿論、隔壁５３０と底部３１１との間に所定の間隔を空け、隔壁５３０同士が形成する分割された収容空間を液状の皮膚管理物質が部分的に移動することを許容してもよい。
【００２９】
図８は、貫通孔５１１を説明するための説明図である。図８を参照すると、貫通孔５１１は、接触表面部５１０から背面５２０側に向かうにつれて拡径する拡張区間５１２を有する。貫通孔５１１は、接触表面部５１０と拡張区間５１２との間に配置される直線区間５１３を有することができる。拡張区間５１２を通じて液状の皮膚管理物質が比較的接触表面部５１０の表面に近接することができ、これは、液状の皮膚管理物質を重力によって外部に排出させる上で有利である。
【００３０】
接触表面部５１０の表面に形成される貫通孔５１１の直径Ｄは、１〜２ｍｍが好ましい。貫通孔５１１の直径Ｄが１ｍｍ未満の場合、収容部３１０に収容された液状の皮膚管理物質が貫通孔５１１から外部に排出されないか、使用困難な程度に少ない量が排出される。貫通孔５１１の直径Ｄが２ｍｍ以上の場合は、皮膚管理物質を皮膚に塗布してマッサージするのに必要な適量よりも貫通孔５１１から排出される流量が過多になり、皮膚管理物質の無駄遣いにつながる問題が発生する。貫通孔５１１に隣接した周辺に該当する接触表面部５１０の厚さＨは３ｍｍ以下が好ましい。拡張区間５１２の角度αは、接触表面部５１０に垂直な線を基準に４５°〜７５°の角度で拡張されることが好ましい。
【００３１】
以上のように、使用者は、比較的粘性の小さいオイルや牛乳、食酢希釈液、緑茶水、レモン水、ワイン、米のとぎ汁などのような皮膚管理物質を皮膚に塗布しようとする時、収容部３１０に液状の皮膚管理物質を満たし、マッサージ部材５００を装着した後、皮膚管理器具を立てて液状の皮膚管理物質が重力によって貫通孔５１１から排出されるようにしながら皮膚管理物質を皮膚に塗布しマッサージすることができる。このとき、比較的少ない量の皮膚管理物質を皮膚に塗布しようとする場合には、内部側壁部３１５が形成する内側収容空間にのみ皮膚管理物質を満たして使用し、比較的多い量の皮膚管理物質を皮膚に塗布しようとする場合には、メイン側壁部３１３と内部側壁部３１５との間の外側収容空間、及び内部側壁部３１５が形成する内側収容空間の両方に皮膚管理物質を満たして使用すればよい。
【００３２】
一方、比較的粘性の高いローション、クリームなどのような皮膚管理物質を皮膚に塗布しようとする場合には、皮膚管理物質をマッサージ部材５００の接触表面部５１０に付けた後、それを皮膚に擦りつつ塗布すればよい。
【００３３】
マッサージ部材５００がプラスチック材質で成形される場合、比較的分子間引力が大きく、水素結合をする親水性皮膚管理物質は貫通孔５１１からよく排出されないが、このとき、貫通孔５１１に親水性物体、例えば皮膚を接触させると、収容空間に留まっていた皮膚管理物質が引かれて貫通孔５１１から排出される。
【００３４】
本発明に係る皮膚管理器具は、マッサージ部材５００がヘッド部３００に対して脱着可能である。そのため、種々のマッサージ部材５００をヘッド部３００に選択的に装着することによって様々な機能を発揮する皮膚管理器具として利用できる。例えば、ヘッド部３００に、ブラシ機能を持つブラシ部材７００（図９参照）を装着する場合、本皮膚管理器具をボディブラシとして使用できる。垢を落とす垢すり機能を持つ垢すり部材をヘッド部３００に装着してもよい。
【００３５】
図９は、ヘッド部３００にブラシ部材７００が装着された皮膚管理器具の斜視図である。図９に見られるように、本発明の皮膚管理器具は、ヘッド部３００に、多数の繊維７１０を持つブラシ部材７００が脱着可能に装着され得る。
【００３６】
図１０は、ブラシ部材７００がヘッド部３００から切り離された様子を示すヘッド部３００側の拡大斜視図であり、図１１は、ブラシ部材７００が装着されたヘッド部３００の断面図である。これらの図に見られるように、ブラシ部材７００は、繊維７１０と、これらの繊維７１０が植えられる繊維表面部７３０を有する。ブラシ部材７００は、木材又はプラスチック材質の繊維表面部７３０に多数の穴を形成した後、豚の毛（豚毛）又は馬の毛（馬毛）などのような繊維７１０を穴に植えることで作製される。
【００３７】
ブラシ部材７００は、繊維表面部７３０の外周側の背面７５０から高さ方向に沿って延長された結合部７７０を有する。結合部７７０が結合案内部３５０に挿入されることで、ブラシ部材７００をヘッド部３００に装着できる。
【００３８】
ブラシ部材７００は、ヘッド部３００に装着されたとき、繊維表面部７３０の背面７５０が結合案内部３５０、メイン側壁部３１３及び内部側壁部３１５の上端に接触することが、コンパクトな構造にできる点で好ましい。このとき、結合案内部３５０、メイン側壁部３１３及び内部側壁部３１５の上端高さ位置は同一であり、繊維表面部７３０の背面３５０は水平な平面である。これによって、本皮膚管理器具はコンパクトな構成及び構造でブラシ部材７００又はマッサージ部材５００をヘッド部３００に選択的に装着することができる。
【符号の説明】
【００３９】
１００ ハンドル
３００ ヘッド部
３１０ 収容部
３１１ 底部
３１３ メイン側壁部
３１５ 内部側壁部
３３０ 拡張部
３５０ 結合案内部
５００ マッサージ部材
５１０ 接触表面部
５１１ 貫通孔
５９０ 結合部
【手続補正２】
【補正対象書類名】特許請求の範囲
【補正対象項目名】全文
【補正方法】変更
【補正の内容】
【特許請求の範囲】
【請求項１】
皮膚管理器具であって、
長さ方向に沿って延長されたハンドルと、
底部及び該底部から高さ方向に沿って延長されたメイン側壁部により収容空間を形成する収容部、該収容部を中心に放射状に延長された拡張部、及び該拡張部の外周において前記メイン側壁部の前記高さ方向に沿って延長された結合案内部を有し、前記ハンドルの端部に配置されるヘッド部と、
皮膚と接触する接触表面部、該接触表面部の背面から突出して前記メイン側壁部と接触する外部漏れ防止部、前記収容部が形成する前記収容空間が外部と連通するように前記接触表面部に配置される少なくとも一つの貫通孔、及び前記接触表面部の外周に配置されて前記結合案内部と結合する結合部を有し、前記ヘッド部に脱着可能に結合するマッサージ部材と、
を含むことを特徴とする皮膚管理器具。
【請求項２】
前記収容部は、
前記収容空間を外側収容空間と内側収容空間とに分割するように、前記メイン側壁部の半径方向内側において前記底部から前記高さ方向に沿って延長された内部側壁部を有し、
前記マッサージ部材は、
前記外部漏れ防止部の半径方向内側の前記接触表面部の背面から突出して前記内部側壁部と接触する内部漏れ防止部と、前記外側収容空間及び前記内側収容空間のそれぞれを外部と連通させる複数の貫通孔とを有することを特徴とする、請求項１に記載の皮膚管理器具。
【請求項３】
前記外部漏れ防止部は、
前記メイン側壁部の内径面に対応する外径を有し、前記メイン側壁部の内径面と接触し、
前記内部漏れ防止部は、
前記内部側壁部の外径面に対応する内径を有し、前記内部側壁部の外径面と接触し、
前記マッサージ部材は、
前記メイン側壁部と前記内部側壁部との間に挿入され、前記メイン側壁部と前記内部側壁部との間の前記収容空間が円周方向に沿って複数個に分割されるように前記接触表面部の背面から突出延長される隔壁と、前記隔壁によって分割される前記収容空間のそれぞれが外部と連通可能に前記接触表面部に分散配置される複数の貫通孔とを有することを特徴とする、請求項２に記載の皮膚管理器具。
【請求項４】
前記隔壁は、
前記マッサージ部材が前記ヘッド部に装着されたとき、前記隔壁の端部が前記収容部の前記底部と接触することを特徴とする、請求項３に記載の皮膚管理器具。
【請求項５】
前記貫通孔は、前記接触表面部から前記接触表面部の背面側に向かうにつれて拡径する拡張区間を有することを特徴とする、請求項１〜４のいずれかに記載の皮膚管理器具。